(57)【要約】      （修正有）【課題】歩留まりを向上させることができる抵抗膜式タッチパネルを提供する。【解決手段】上部モジュールＡと、下部モジュールＢと、フレキシブル回路板Ｃとを重合することにより、タッチパネルを構成し、その内、該上部モジュールＡは、絶縁層１８を介して下部モジュールＢにおける粘着層１３に貼合され、該フレキシブル回路板Ｃは、各端子Ｃ１が夫々、該粘着層１３及び絶縁層１８における、対応する導電ペースト１３１と接触することにより、上部電極１７１と下部電極１１１に電気接続するように、粘着層１３と絶縁層１８との間に設置する。前記光沢塗料層１６をタッチすると、その押圧力により上導電層１７が下導電層１１と接触して導通し、それによる電圧の変化が、上電極１７１及び下電極１１１から導電ペースト１３１，１８１を介してフレキシブル回路板Ｃに送られ、更に回路板Ｃから計算ユニットに出力され、該電圧変化に基づいて、計算ユニットによりタッチされた位置を検出する。【選択図】図１
0003156887.tif 000002
【実用新案登録請求の範囲】
【請求項１】
透明基板（１０）と、該透明基板（１０）の上面に積層され、上面の周縁近傍に複数の下部電極（１１１）が形成される下部導電層（１１）と、該下部導電層（１１）の上面に設置されるスペーサー層（１２）と、該スペーサー層（１２）の周りに位置すると共に、下部電極（１１１）を覆うように下部導電層（１１）の上面に積層され、各下部電極（１１１）と対応する部位に夫々、下部電極（１１１）と接触する導電ペースト（１３１）が設けられる粘着層（１３）とを具備する下部モジュール（Ｂ）と、
上面にパターニング層（１５）と該パターニング層（１５）を覆う光沢塗料層（１６）が順次に塗布される保護フィルム（１４）と、該保護フィルム（１４）の底面に積層され、底面の周縁近傍に上部電極（１７１）が形成される上部導電層（１７）と、該上部電極（１７１）を覆うように上部導電層（１７）の底面の周縁に積層されると共に、前記下部モジュール（Ｂ）における粘着層（１３）に粘着され、且つ上部電極（１７１）と接触する導電ペースト（１３１）を有する絶縁層（１８）とを具備する上部モジュール（Ａ）と、
複数の端子（Ｃ１）を有すると共に、該各端子（Ｃ１）が前記粘着層（１３）及び絶縁層（１８）における導電ペースト（１３１）と夫々接続されるように、粘着層（１３）と絶縁層（１８）との間に設置されるフレキシブル回路板（Ｃ）とを備えることを特徴とする抵抗膜式タッチパネル。
【請求項２】
前記透明基板（１０）がガラス板であることを特徴とする請求項１に記載の抵抗膜式タッチパネル。
【請求項３】
前記上部電極（１７１）が銀ペースト電極であることを特徴とする請求項１又は２に記載の抵抗膜式タッチパネル。
【請求項４】
前記下部電極（１１１）が銀ペースト電極であることを特徴とする請求項１又は２に記載の抵抗膜式タッチパネル。
【請求項５】
前記上部電極（１７１）と下部電極（１１１）が銀ペースト電極であることを特徴とする請求項１又は２に記載の抵抗膜式タッチパネル。
【考案の詳細な説明】
【技術分野】
【０００１】
本考案は、特に上部モジュールに硬化膜を設置する必要がない抵抗膜式タッチパネルに関するものである。
【背景技術】
【０００２】
タッチパネルには、位置検出の原理により静電容量式、抵抗膜式、超音波式、赤外線式などがあり、この内、抵抗膜式は、軽量且つ安価であり、その上、その製造技術も既に成熟しているので、最も普及している。
【０００３】
図３及び図４に示すように、従来の抵抗膜式タッチパネルは、上部モジュール（Ａ'）と、下部モジュール（Ｂ'）と、フレキシブル回路板（Ｃ'）とを備え、その内、該下部モジュール（Ｂ'）は、透明基板（２０）と、該透明基板（２０）の上面に積層され、上面の周縁近傍に複数の下部電極（２１１）が形成される下部導電層（２１）と、該下部導電層（２１）の上面に設置されるスペーサー層（２２）と、該スペーサー層（２２）の周りに位置すると共に、下部電極（２１１）を覆うように下部導電層（２１）の上面に積層され、各下部電極（２１１）と対応する部位に夫々、該下部電極（２１１）と接触する導電ペースト（２３１）が設けられる第１粘着層（２３）とを含み、前記上部モジュール（Ａ'）は、硬化膜（２４）と、該硬化膜（２４）の底面に印加されるパターニング層（２５）と、第２粘着層（２７）により該パターニング層（２５）を覆うように硬化膜（２４）の底面に粘着される保護フィルム（２６）と、該保護フィルム（２６）の底面に積層され、底面の周縁近傍に上部電極（２８１）が形成される上部導電層（２８）と、該上部電極（２８１）を覆うように上部導電層（２８）の底面周縁に積層されると共に、前記下部モジュール（Ｂ'）における第１粘着層（２３）に粘着され、且つ上部電極（２８１）と接触する導電ペースト（２９１）を有する絶縁層（２９）とを含み、前記フレキシブル回路板（Ｃ'）は、複数の端子を有すると共に、該各端子が夫々該第１粘着層（２３）及び絶縁層（２９）における導電ペーストと接触して上部電極（２８１）と下部電極（２１１）に電気接続するように、第１粘着層（２３）と絶縁層（２９）との間に設置されるものである。
【考案の概要】
【考案が解決しようとする課題】
【０００４】
前記従来の抵抗膜式タッチパネルでは、パターニング層（２５）により使用者が触れることで指令を入力できるタッチポイントが示されており、該パターニング層（２５）が印加された硬化膜（２４）は、第２粘着層（２７）により保護フィルム（２６）に密着貼合され、該硬化膜（２４）と保護フィルム（２６）との間に空気が入ると、タッチパネルの表面が凸凹状となり、位置の検出に悪影響を及ぼすため、該硬化膜（２４）を保護フィルム（２６）に貼合する時には、両者の間の空気を完全に排除するように貼合工程が行われる。しかしながら、もし空気が入り込んだ場合、製品を不良品として廃棄するしかないことから、コストが増大してしまうので、従来の抵抗式タッチパネルの構造には、更に改善する余地があった。
【０００５】
そこで、案出されたのが本考案であって、硬化膜が不要であるため、空気の残留による不良品の発生という問題を解決できる抵抗膜式タッチパネルを提供することを目的としている。
【課題を解決するための手段】
【０００６】
本願の請求項１の考案は、透明基板（１０）と、該透明基板（１０）の上面に積層され、上面の周縁近傍に複数の下部電極（１１１）が形成される下部導電層（１１）と、該下部導電層（１１）の上面に設置されるスペーサー層（１２）と、該スペーサー層（１２）の周りに位置すると共に、下部電極（１１１）を覆うように下部導電層（１１）の上面に積層され、各下部電極（１１１）と対応する部位に夫々、下部電極（１１１）と接触する導電ペースト（１３１）が設けられる粘着層（１３）とを具備する下部モジュール（Ｂ）と、
上面にパターニング層（１５）と該パターニング層（１５）を覆う光沢塗料層（１６）が順次に塗布される保護フィルム（１４）と、該保護フィルム（１４）の底面に積層され、底面の周縁近傍に上部電極（１７１）が形成される上部導電層（１７）と、該上部電極（１７１）を覆うように上部導電層（１７）の底面の周縁に積層されると共に、前記下部モジュール（Ｂ）における粘着層（１３）に粘着され、且つ上部電極（１７１）と接触する導電ペースト（１３１）を有する絶縁層（１８）とを具備する上部モジュール（Ａ）と、
複数の端子（Ｃ１）を有すると共に、該各端子（Ｃ１）が前記粘着層（１３）及び絶縁層（１８）における導電ペースト（１３１）と夫々接続されるように、粘着層（１３）と絶縁層（１８）との間に設置されるフレキシブル回路板（Ｃ）とを備えることを特徴とする抵抗膜式タッチパネル、を提供する。
【０００７】
本願の請求項２の考案は、前記透明基板（１０）がガラス板であることを特徴とする請求項１に記載の抵抗膜式タッチパネル、を提供する。
【０００８】
本願の請求項３の考案は、前記上部電極（１７１）が銀ペースト電極であることを特徴とする請求項１又は２に記載の抵抗膜式タッチパネル、を提供する。
【０００９】
本願の請求項４の考案は、前記下部電極（１１１）が銀ペースト電極であることを特徴とする請求項１又は２に記載の抵抗膜式タッチパネル、を提供する。
【００１０】
本願の請求項５の考案は、前記上部電極（１７１）と下部電極（１１１）が銀ペースト電極であることを特徴とする請求項１又は２に記載の抵抗膜式タッチパネル、を提供する。
【考案の効果】
【００１１】
本考案は上記の課題を解決するものであり、パターニング層を保護フィルムの上面に印加することから、硬化膜及び該硬化膜を保護フィルムに粘着する粘着層を設置する必要がないので、従来のタッチパネルにおいて、硬化膜と保護フィルムとの間に残留した空気による不良品の発生を解決できると共に、組み立て作業を容易にすることができ、且つコストの削減も図ることができる。
【図面の簡単な説明】
【００１２】
【図１】本考案に係る抵抗膜式タッチパネルの分解斜視図である。
【図２】本考案に係る抵抗膜式タッチパネルの部分断面図である。
【図３】従来の抵抗膜式タッチパネルの分解斜視図である。
【図４】従来の抵抗膜式タッチパネルの部分断面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１は本考案に係る抵抗膜式タッチパネルの分解斜視図であり、図２は本考案に係る抵抗膜式タッチパネルの部分断面図である。
【００１５】
図１及び図２に示すように、本考案に係る抵抗膜式は、上部モジュール（Ａ）と、下部モジュール（Ｂ）と、フレキシブル回路板（Ｃ）とを有し、そのうち下部モジュール（Ｂ）は、従来の抵抗膜式回路板と同様の構成であり、例えば、透明のガラス板である透明基板（１０）と、該透明基板（１０）の上面に積層され、上面の周縁近傍に例えば銀ペーストからなる複数の下部電極（１１１）が形成される下部導電層（１１）と、該下部導電層（１１）の上面に設置される、複数のドットスペーサー（１２１）を有するスペーサー層（１２）と、該スペーサー層（１２）の周りに位置すると共に、下部電極（１１１）を覆うように下部導電層（１１）の上面に積層され、各下部電極（１１１）と対応する部位に夫々、下部電極（１１１）と接触する導電ペースト（１３１）が設けられる粘着層（１３）とを具備するものである。
【００１６】
前記上部モジュール（Ａ）は、上面にパターニング層（１５）と、該パターニング層（１５）を覆い、タッチパネルの表面に光沢を持たせるための光沢塗料層（１６）とが順次に塗布される保護フィルム（１４）と、底面の周縁近傍に例えば銀ペーストからなる上部電極（１７１）が形成されると共に、前記保護フィルム（１４）の底面に積層される上部導電層（１７）と、該上部電極（１７１）を覆うように上部導電層（１７）の底面周縁に積層されると共に、該上部電極（１７１）と接触する導電ペースト（１３１）を有する絶縁層（１８）とを具備するものである。
【００１７】
本考案は、前記上部モジュール（Ａ）と、下部モジュール（Ｂ）と、フレキシブル回路板（Ｃ）とを重合することにより、タッチパネルを構成し、その内、該上部モジュール（Ａ）は、絶縁層（１８）を介して下部モジュール（Ｂ）における粘着層（１３）に貼合され、該フレキシブル回路板（Ｃ）は、各端子（Ｃ１）が夫々、該粘着層（１３）及び絶縁層（１８）における、対応する導電ペースト（１３１）と接触することにより、上部電極（１７１）と下部電極（１１１）に電気接続するように、粘着層（１３）と絶縁層（１８）との間に設置される。
【００１８】
本考案の構成によれば、前記光沢塗料層（１６）をタッチすると、その押圧力により上導電層（１７）が下導電層（１１）と接触して導通し、それによる電圧の変化が、上電極（１７１）及び下電極（１１１）から導電ペースト（１３１）（１８１）を介してフレキシブル回路板（Ｃ）に送られ、更に回路板（Ｃ）から計算ユニット（図示せず）に出力されるので、該電圧変化に基づいて、計算ユニットによりタッチされた位置を検出することができる。
【００１９】
本考案に係る抵抗膜式タッチパネルは上記の構成を有することから、硬化膜が不要であり、従来の抵抗膜式タッチパネルの欠点である、粘着層により硬化膜と保護フィルムとの貼合時における、両者間に残留した空気による不良品の発生を解決できるのみならず、組み立て作業を容易にすることができるので、コストの削減が図れると同時に、タッチパネルの厚さをより薄くすることができる。
【符号の説明】
【００２０】
Ａ、Ａ'      上部モジュール
Ｂ、Ｂ'      下部モジュール
Ｃ、Ｃ'      フレキシブル回路板
Ｃ１、Ｃ１'  端子
１０        透明基板
１１        下部導電層
１１１      下部電極
１２        スペーサー層
１２１      ドットスペーサー
１３        粘着層
１３１      導電層
１４        保護フィルム
１５        パターニング層
１６        光沢塗料層
１７        上導電層
１７１      上部電極
１８        絶縁層
１８１      導電ペースト
２０        透明基板
２１        下部導電層
２１１      下部電極
２２        スペーサー層
２３        第１粘着層
２３１      導電ペースト
２４        硬化膜
２５        パターニング層
２６        保護フィルム
２７        第２粘着層
２８        上部導電層
２８１      上部電極
２９        絶縁層
２９１      導電層
【図１】
0003156887.tif 000003
【図２】
0003156887.tif 000004
【図３】
0003156887.tif 000005
【図４】
0003156887.tif 000006